(57)【要約】本発明は、廃棄物中に含まれる物質のエネルギー潜在能力及び熱容量を利用する有機質物質及び水を含む流体廃棄物の処理に関する。外部源からのエネルギー入力を最低限にして、この有機物質のエネルギー潜在能力及び熱発生能を有機物質の処理に利用する。【特許請求の範囲】
【請求項１】
有機物質含有廃棄物に水を添加する工程、
少なくとも１種の界面活性剤及び燃料を含む組成物を準備する工程、
計量した量の有機物質を燃料に導入して最終組成物を形成する工程、
その最終組成物を乳化する工程、及びその最終組成物を燃焼する工程を含む、有機物質含有廃棄物の処理方法。
【請求項２】
有機物質が２０〜３０質量％の量で存在する、請求項に１記載の方法。
【請求項３】
有機物質が３０〜５０質量％の量で存在する、請求項に１記載の方法。
【請求項４】
有機物質が５０〜８０質量％の量で存在する、請求項に１記載の方法。
【請求項５】
有機物質及び水を含有するスラッジの処理装置であって、
有機物質及び水を含有するスラッジの供給部、
少なくとも１種の界面活性剤の供給部、
少なくとも１種の液体燃料の供給部、及び
前記スラッジ、前記少なくとも１種の界面活性剤及び液体燃料を含むエマルションであって、親油性連続相を有し、実質的に１ナノメーターの径の粒子を有する分離相を有するエマルション（ここで、このエマルションの全含水量は５〜６０質量％の範囲内にある。）を提供するのに適したナノ分散部、
を含む、スラッジ処理装置。
【請求項６】
エマルションの全含水量が１０〜２０質量％である、請求項５に記載のスラッジ処理装置。
【請求項７】
エマルションの全含水量が２０〜３０質量％である、請求項５に記載のスラッジ処理装置。
【請求項８】
エマルションの全含水量が３０〜４０質量％である、請求項５に記載のスラッジ処理装置。
【請求項９】
水で汚染された重油の処理方法であって、実質的に２５質量％以下の水を含む可燃性重油を提供する工程、
前記の汚染された重油を分散化工程に供して、連続相、及び実質的に１ナノメーターの径の粒子を有する分離相を有するエマルションを生成する工程、
を含む処理方法。
【請求項１０】
エマルションが更に界面活性剤を含む、請求項９に記載の方法。
【請求項１１】
更に、汚染された重油を分散化工程に供するに先立って液体燃料を提供する工程を含む、請求項９に記載の方法。
【請求項１２】
重油が実質的に２０質量％以下の水を含む、請求項９に記載の方法。
【請求項１３】
重油が実質的に１０質量％以下の水を含む、請求項９に記載の方法。
【発明の詳細な説明】
【０００１】
本発明は、米国暫定出願第６０／２９８，８７５号（出願日２００１年６月１９日）に基づく優先権を主張し、その全部を本願明細書に一体化する。本発明は、又、米国出願第１０／０８２，０６２を参照して本願明細書に一体化する。
【０００２】
発明の技術分野
本発明は、概して、オイル汚染水、並びに有機物質及び水を含有する他の液体産業廃棄物から得られる安定エマルション及び／又は新規燃料の製造及び処理に関する。
【０００３】
従来、有機物質と水を含む液体廃棄物は、含有物質の濃度を、規制許容濃度を超えない含有量まで低下させるためにさまざまな方法に供される。制限許容濃度の値は、各汚染成分のタイプごとに様々な政府機関によって決定される。その制限許容濃度の値は、又、精製廃棄物の所期の用途に基づいている（例えば、技術的反転（ｔｅｃｈｎｉｃａｌ ｒｅｖｅｒｓａｌ）、養魚槽を有する天然水貯水槽への回帰など）。
【０００４】
有機物質源からの汚染物質は、通常３つの群に分類される。第１群は、水に分散された微細粒子から大きな粒子の範囲内の有機物質を含む。第２群は、様々なタイプの親水性及び親油性コロイド系（例えば、高分子量物質及び環境条件に基づいて凝集性を変えることが可能である洗浄剤）を含む。汚染物質の第３群は、分子溶液を含む。例えば、砂糖精製廃棄物及び他の植物製品のごとき、粒子を含有する分子溶液。
【０００５】
第１群の精製のための公知技術には、分離容器中の機械分離、緩慢ろ過器によるろ過、マイクロフィルターによるマイクロ分離及び遠心分離が含まれる。他の方法には、高度分散された粒状物質に汚染物を粘着させることを含む。この方法において、汚染溶液は、二原子の（ｄｉａｔｏｍｉｃ）又は他の流体フィルター中の補助物質流体層を通してろ過され、凝固懸濁液を形成する。その後、凝固懸濁液は、作用増強のための凝集剤と共に粒状層を使用して、二重層及び粗粒子フィルターを介してろ過される。この方法は、又、接触凝固ろ過を含み、ここで汚染物質は、硫酸水素アルミニウム、ＦｅＣｌ、ポリアクリルアミド及び／又は活性珪酸、又は汚染物質含有量を低減するように設計されたその他の成分と接触させられる。又更に汚染物質の第１群を処理する更に他の方法において、その汚染物質を接着し、又分離するために、アルミニウム、水酸化鉄及び／又は粘土鉱物が使用される。この方法は、凝固剤を形成するために水酸化アルミニウム及び水酸鉄で汚染物を処理し、その凝固剤を硫酸処理粘土、ＦｅＣｌ、又は硫酸鉄（ＩＩ）で処理することを含む。更に他の従来の凝固技術においては、凝固物を形成するために汚染物を凝固剤又は凝集剤で処理する。その後、凝固物は、汚染物含量を減少させるために種々の分離及ろ過工程を介して処理される。
【０００６】
第２群の汚染物を精製するための従来技術には、酸化が含まれ、これによって、汚染物質は、塩素化又はオゾン化される。他の従来技術には、高度分散粘土鉱物と共に水酸化アルミニウム及び水酸化鉄を使用する吸収が含まれる。更に他の第２群の汚染物を精製するための従来技術には、カチオン性凝集剤を使用する凝固が含まれる。
【０００７】
最後に、第３群の汚染物を精製するための従来技術には、脱離エーレーション（散布器、エーレーター及び脱ガス装置を含む）、酸化（塩素化、オゾン化及び過マンガン酸カリウムによる処理を含む）、電気分解、活性炭を用いる処理による吸着、有機抽出、及び好気性微生物による処理を介した生化学的分解を含む。生化学的及び生化学的微生物による処理には、微生物の活性を維持して、通気性を保つための最適温度（約３６〜３９℃）を維持するために相当のエネルギー消費を必要とする。
【０００８】
典型的な流体廃棄物には、三タイプの汚染物が含まれるので、精製プラントは、上記検討の様々な処理を実施するために構成された技術的方法が含まれる。
【０００９】
上記の技術の内ほんの二、三のもののみが廃棄物を許容量まで処理し得る一方で、許容汚染物含量にたやすく適合する方法に比べて、これらの方法は、他の要素、例えば処理時間及び必要な資本投資により、より知られることとなっている。最大許容汚染物含量に適合する適切な処理プラントを工夫するには、相当な技術的困難性と多大な装置経費を必要とする。更に、そのような装置の運転経費は、又かなり高くなる。これらの経費は、例えば、人、エネルギー及び処理材料（凝集剤、凝固剤、活性炭、試薬等）に関する経費を含む。結果として、精製プラントそれ自体の運転は、新たな処理を必要とする環境問題を逆に惹き起こす、フレーク、凝固沈殿物などの形態の新規な廃棄物を生成する。
【００１０】
水性エマルションの形態の粘性燃料を燃焼させることの有効性は見出されたが、必要とされる細かな分散エマルションを製造するための信頼性のある技術がなかったので実施できなかった。
【００１１】
又、最近のオイル精製の傾向は、燃料バランスにおける重質分の増加を生じている。そのように非常に粘性のあるパラフィン含有複合物質、鉱物添加物、及びしばしばイオウを燃焼させるのは、相当難しい問題を生ずる。更に、そのような重質分においては比較的高水分含有量であって、重質油は粗くて不安定なエマルションを形成する２０〜５０質量％以上の水を含むので、廃棄物処理工程の間に更なる問題を生ずる。そのような粗いエマルションは、良い状態であっても不安定であるので、そのエマルションを燃焼すると、しばしば不安定な炎と煤が形成され易くなる。重質燃料油又は重油は、様々な粘度を有すると考えられている。重質燃料油の粘度は、４０℃における５Ｅ〜８０℃における１６Ｅの範囲で変わると考えられている。
【００１２】
加えて、乾燥及びガス化工程は、エネルギー消費が大きく、又経費がかかる。乾燥及びガス化を利用するスラッジの処理及び移送を含む技術は、エネルギー消費が大きい。したがって、この乾燥は、経済的にも又エネルギー的にも不効率である。
【００１３】
発明の概容
本件発明は、上記列挙した欠点を克服する。具体的には、本件技術は、余分の加熱又はエネルギー源導入を必要とせず稼動できる。更に、現存の製造ラインを殆ど変更しないで、したとしても僅かの変更により利用できる点において、装置経費を最小にできる。
【００１４】
一実施形態において、本発明は、廃棄物中の汚染物質の潜在エネルギー及び熱生成能力を利用する方法における液体廃棄物処理に関する。他の実施形態において、汚染物質の潜在エネルギー及び熱発生能力を、外部供給源から最低限のエネルギー入力により汚染化物質を処理するのに利用する。
【００１５】
本発明の種々の特徴は、以下の記載と、同じ数字は同じ要素を示す添付図面とを同時に参照することにより最も理解できる。
【００１６】
予め、有機質廃棄物源は、スラリー及び／又はスラッジを含む化合物、油汚染水、及びオイルタンカー及び他の容器からの化学物質、並びに油廃棄物により汚染された水、有機質廃棄物で汚染された水、石油廃棄物、及び残留水を含む重質留分を含む。これらの列挙事項により全てが網羅されている訳ではないが、そのような汚染物の保存と処理は、かなり経費を要し、又エネルギー集約的である。その水の有機質の中身は、石油化学副生物が代表的なものであり、１質量％〜９９質量％の範囲にわたる。
【００１７】
したがって、本発明の本質は、従来方法、例えば、かなり高価で又エネルギー集約的である微生物を用いる処理に勝る幾つかの長所を提供することを目的とする。本発明の実施形態によれば、基本的に有機的な廃棄物の潜在エネルギー及び熱能力は、外部からの最小のエネルギー入力でその廃棄物自体を処理するのに使用される。
【００１８】
一実施形態において、本発明は、油汚染水及び様々な液体工業廃棄物から由来する微細な燃焼性安定エマルション、新規燃料、の製造を可能とする。本発明のこの実施形態によると、水、及び有機物起源の汚染物質を含む液体廃棄物の処理にも同様に適用できる環境に適しかつエネルギー節約型の用途を提供できる。例えば、本発明の基本的考え方は、有機物質で汚染された流体廃棄物が確認できる開口部、工業プラント及びその他の場所に施用できる。最後に、一形態において、本発明は、有機質汚染物質及び様々な工業廃棄物から燃焼性安定エマルションを製造して、下記の例示的利点を提供できる。ＣＯを半分、ＮＯｘを２０〜３０％というように排煙（ｓｔａｃｋ ｇａｓ）汚染の減少及び排煙の灰分含量の全体にわたる減少がその利点の例示である。更に、本発明の基本的考え方による他の利点は、廃棄物に含まれる汚染物質の潜在エネルギー及び熱生成能力を利用することを含む。
【００１９】
液体廃棄物含有水、及び有機物起源の汚染物質は、典型的には分散相中の個別粒子を含む、連続液相内の分散系である。連続相が水又は水溶液であり、分散相が有機物質から構成されている場合、そのエマルションは、Ｏ／Ｗ（水中油型）により表記される直接エマルション（ｄｉｒｅｃｔ ｅｍｕｌｓｉｏｎ）と称される。他方、連続相が有機液体で構成されており、水（又は水溶液）がその全体に分散されている場合は、そのエマルションは、親油性エマルションであり、Ｗ／Ｏ（油中水型）により表記される。
【００２０】
典型的には、液体廃棄物は、その廃棄物内で分離する傾向を有する不安定系を構成する。更に、多くのそのような系は、直接エマルションと親油性エマルションとを同時に有する組成物に分離される。分散相の粒子は、異なったサイズと形状であり、回転楕円体（ｓｐｈｅｒｏｉｄｓ）、レンズ、層、プラグ等の形状である。そのような廃棄組成物は、安定な燃焼反応を維持するに必要な条件を保持できないので、その組成物は、容易に燃焼しない。即ち、汚染廃棄組成物は、容易に燃焼し得る材料ではなく、燃焼するとしても、不完全燃焼を起こして、多くの不要な副生成物を生成し、不必要に大量の燃焼エネルギーを消費する。
【００２１】
水含有液体燃料の安定な燃焼をさせる必要性がある場合、水不含有の液体燃料を燃焼させるための要件に加えて、更なる２つの条件が満たされなければならない。第一に、燃料中の全水分量は、生成する熱及び／又はパワーを効率的に利用するために、制限値を４０〜５０質量％、好ましくは１２〜２０質量％超えてはならず、又、全環境的廃棄処理に対しては２０〜４０質量％超えてはならない。Ｏ／Ｗ型エマルションは、燃焼に相当多量のエネルギーを消費するので、そのエマルションの燃焼が困難であることに留意して、エマルションを親油性エマルションとすることができる。水（又は他の水溶液）は、液体燃料の大部分中に、微細分散相の形態で存在し得る。この条件は、蒸発の間の水の熱吸収を考慮すれば容易に判ることであり、不完全燃焼となるのは、水分含量が制限値を上回るからである。
【００２２】
第二の条件は、親油性のエマルションにおいて、水滴が燃料小滴中に回転楕円体として存在することである。この点に関して、親油エマルションの燃焼は、水と移動性燃料小滴の周りとの界面層中の燃焼空房（ｃｏｍｂｕｓｔｉｏｎ ｃｈａｍｂｅｒ）起こることに留意されなければならない。燃料が加熱すると、水は次第に蒸発する。液体廃棄物が水を含んでいると、水滴は燃料の移動性小滴中に回転楕円体として存在すべきである。即ち、燃焼空房に入る水を含む液体燃料は、その噴霧化に先立って親油性の微細エマルションとされるべきである。この条件が合致しない場合（例えば、（１）そのエマルションが直接Ｏ／Ｗ型であり、ここで回転楕円体の水が１ミクロンを超す場合、又は（２）回転楕円体の水がこの混合物の全容量にわたって均一に分散されていない場合）、水含有液体燃料は、その安定燃焼性を失う。これは、燃料中の水分含量が制限値に比べて非常に少ない場合でさえ起こる。この理由の一つは、燃料液滴の表面上の水薄膜が存在することにより燃料蒸発を妨げることにある。
【００２３】
本発明の実施形態によると、燃焼の初期段階の間、予定の温度に到達すると、燃料液滴中に含まれた回転楕円体の水は沸騰し始めて、水蒸気を生ずる。最初は、その水蒸気は、燃料液滴を膨張させて、液滴を薄膜に転換する。次いで、その水蒸気は、液滴を崩壊させて、微細成分にして、最終的には乳化燃料の自己微細化を起こす。同時に、燃料と酸化剤（環境空気からの酸素）との接触面積が増加して、燃焼を強化して、燃焼ガス成分を改善する。
【００２４】
本発明の一実施形態によると、含水有機質廃棄物は、燃焼に先立って燃料に分散される。この有機質廃棄物を含む組成物は、相互に異なり得るから、様々な割合の廃棄物、水及び燃料が使用できる。本発明の一実施形態において、含水有機質廃棄物をどの程度加えるかは、親油性エマルションを得るために具体的に計算され得る。一実施形態において、これは、予め水廃棄物を連続相に分散することにより実現できる。連続相は、油、廃棄又は使用済油、燃料、燃料副生成物及び／又は使用済燃料、並びに容易に燃焼可能の他の組成物であってもよい。この連続相は、２０％程度の水を含むことができる。２０％以上あると、その組成物は、Ｏ／Ｗ型エマルションとなり、Ｗ／Ｏ型エマルションにはならない。上述のとおり、界面活性剤の添加は、乳化を助けることができる。高粘度で微細化が困難である燃料に対しては、分散をかなり強化する必要がある。したがって、例えば、従来の重油製品（例えば、Ｂｕｎｋｅｒ  Ｏｉｌ、  海軍の特別燃料油、酸スラッジ及びピッチ又はＮｏ．５又はＮｏ．６燃料油）は、含水有機質廃棄物で乳化される実施形態においては、１０〜２０質量％の水を含む場合にその燃料有効性が得られる。２０質量％以上を含有する他のエマルションは、本発明の範囲内に依然として十分に入ることに留意されるべきである。しかしながら、本件出願人は、１０〜２０質量％の範囲において、有機物質の存在することにより燃焼がより強化されて、水の蒸発による熱損失が補償されるので、燃料効率が最大にできることを注記する。
【００２５】
液体燃料の粘度に基づいて、１種以上の安定剤を廃棄物／燃料混合物に添加できる。そのような安定剤又はその組合せは、基本的な廃棄物／燃料組成物を補足するために特に選択できる。更に、安定剤又はその組合せは、廃棄物を導入するに先立って燃料と混合し又は燃料に添加することができ、燃料と廃棄物を同時に組合わせることができ、あるいは廃棄物スラッジを燃料に導入した後に導入することができる。上記のとおり、安定剤又は界面活性剤は、それらの組合せが保存及び移送期間の間に相安定性を提供できる限り、一種以上の剤の組合せを含むことができる。更に、所定の場合においては、重質燃料化学物質は、安定剤として作用し、又それ故、添加安定剤を導入する必要性を回避することができる。例えば、重油は、数年に及ぶエマルションに対する安定性及び保存寿命を提供できるタール状又はアスファルト状物質を含む。したがって、高粘度の燃料（例えば、重油）を利用する本発明の実施形態において、界面活性剤又は安定剤は不必要とすることができる。重油の非限定的例示としては、Ｎ０．５及びＮｏ．６燃料油、海軍特別燃料、燃料庫Ｃオイル（ｂｕｎｋｅｒ Ｃ ｏｉｌ）及び酸スラッジ及びピッチが含まれる。
【００２６】
本発明の一実施形態において、界面活性剤を、１質量％の割合で、含水廃棄物の導入に先立って燃料に添加できる。界面活性剤の量は、最終エマルションの必要な分散安定性、保存寿命に基づいて変え得る。幾つかの組成物に対して、１質量％界面活性剤を添加すると、エマルションの安定性を２年間に至るまで提供できる。
【００２７】
上述のとおり、本発明の実施形態は、又、廃棄物中に含まれている汚染物質の潜在エネルギー及び／又は熱発生能力を利用することができる。実施例により、水及び有機質汚染物質を含む液体廃棄物を液体燃料に計測して導入する間、廃棄物中の廃棄物質の約１０質量％が、その中に含まれている水を蒸発させるのに必要な付加的エネルギーを提供できる。有機質汚染物の残分を燃焼させることにより生成されたエネルギーは、熱エネルギーの商業生産のために利用され得る。最終的に、有機質廃棄物及び水を含む燃料から得た排煙試料を、水を含まない試料と対比した分析によると、水が液体燃料中に含まれている場合、排煙はより清浄であることが解明された。水が存在すると、より完全な燃焼を提供するのに助けとなると考えられる。
【００２８】
本発明の一実施形態において、汚染有機廃棄物の処理は、以下の方法で行われる。この実施形態において、液体廃棄物は、容易に２相に分離し得る、及び／又は親油性相とその上の直接相（ｌａｙｅｒｓ ｄｉｒｅｃｔ ｏｖｅｒ ｌｉｐｏｐｈｉｌｉｃ）の組み合わせ及びその逆の組み合わせを有し得る、直接エマルション及び親油エマルションを含む不安定で粗いエマルションを表すことができる。液体廃棄物の組成物は、いかなる数の有機製品を含むことができる。例えば、液体廃棄物は、石油処理の結果として生成される有機物質を含むことができる。加えて、液体廃棄物は、制限容量以下の水を含むことができる。この制限容量は、本明細書中以下においてより詳しく説明するとおり、燃料粘度に基づいて変化しうる。本発明の一実施形態において、水及び有機質源の汚染物質を含む液体廃棄物は、分散された界面活性剤を有する液体燃料の中に、計測量に基づいて供給される。燃料に対する液体廃棄物の比が液体廃棄物、水量及び使用される燃料タイプに基づいて変化しうることは、当業者が理解し得る。液体廃棄物がほぼ７０質量％の水、３０質量％の有機物質を含み、その燃料がＮｏ．６残留燃料である例示的実施形態においては、液体廃棄物：燃料をほぼ１：１で使用できる。１トンの燃料に対して１トンの廃棄物を使用する場合、最終結果は、廃棄物の減少に加えて、２０％の新たなエネルギーを生むことができる。他の処理工程を代わりに使用できるが、本発明の一実施形態においては、液体廃棄物を導入する前に界面活性剤を燃料に添加できる。次いで、本発明の基本的考えに基づいて、その液体廃棄物は、燃料／乳化剤組成物中に導入して分散できる。従来の混合及び乳化を実施できるが、本発明者は、相分離が容易には生じないので、ナノ乳化が最も効果的であることを発見した。本発明の一実施形態において、得られる混合物は、貯蔵可能であり、焼却炉中で燃焼できる細かく分散されたエマルションである。本発明の実施形態によると、燃料中の水の比は、５０質量％を超えるべきでないことに留意することは重要である。
【００２９】
本発明の実施形態において使用できる界面活性剤は、蛋白性源及び他の有機質源の多数の界面活性剤のいかなるものを含んでいてもよい。界面活性剤の使用量と界面活性剤の組成は、廃棄物の組成、経済的及び環境上の要因にしたがって選定することができる。更に、特定の廃棄物エマルションの処理を完了するために２種又はそれ以上の界面活性剤の組合わせを使用できる。知られた界面活性剤の非網羅的事例としては、ＯＰ−１０、スルホノール、精製サンフラワー等が含まれる。
【００３０】
上記のとおり、本発明者は、液体廃棄物、燃料及び安定剤の混合物がナノ分散された場合に最も安定であることを発見した。一実施形態において、一又はそれより多いナノ秒間継続するパルス状のエネルギー噴射を放出するように調整したナノ分散機を用いて、微細分散親油性エマルションを形成することができる。ナノ分散機は、一又はそれより多いナノ秒以下で継続するエネルギー噴射を提供するように調整できる。この分散機ヘッド又はホモジナイザーは、相界面境界の個々の分子又は分子クラスターの寸法と見合った寸法を有するように最適化できる。そのような圧力噴射は、いわゆるＰＥＴ−原理に基づいて運転されるパルス装置、ナノ−分散機におけるパルスとして導入できる。このパルスは、径１〜２ミクロンの粒子の周辺界面層を摂動させて、異常に高い圧力と相対速度を生ずる。このようにして、元の大きいスケールの分子と分子クラスターは、電子−機械的工程と両双極子分子の静的力を介して変形されて、ある厚みのコロイド膜は、安定化された分散システムに変形する。液体燃料液滴中の水のミクロ回転楕円体表面の単離は、その液滴中の気泡を生ずる。このパルスは又、分子間結合及び他の分子力の崩壊を伴い、重油中のパラフィンコンプレックスを破壊する。以上のとおり、得られた均質混合物は、燃料中に微細に分散された水を含み、又ナノ−スケールの均質エマルションの形成に寄与できる。
【００３１】
図１Ａは、ＰＥＴ原理により製造された油中水型乳化組成物（ａ）を、又図１Ｂは、従来法により乳化された油中水型組成物（ｂ）を図説的に対比するものである。
【００３２】
図２は、本発明の一実施形態を概説的に示すものである。図２において、有機物質と水を含む液体廃棄物を先ずミキサー２で処理する。図２中には示されてないが、水及び有機物質を含む、流れ１を混合工程に先立って機械的又は化学的ろ過工程に供することは本発明の範囲にある。更に、図２の概説図では、ロータリーミキサーが記載されているが、他の混合装置又はホモジナイザーの利用も本発明の範囲である。同時に、液体燃料５は、ポンプ６を介してヒーター７に供給する。予備加熱工程が図２に記載されているが、この工程は、省略するか、後続の処理段階まで延期することができる。その後、この液体組成物は、液体燃料との混合に先立って線量計３を介して供給されて、予め決めた量で廃棄物組成物が計量される。この液体燃料と液体廃棄物との混合物は、その後、処理されてナノ−乳化組成物８を生成し、その組成物は、焼却のためにスチームボイラーに供給することができる。
【００３３】
図３は、本発明の一実施形態による他の実効例を概略的に示す。図３の実施形態によると、スラッジ廃棄物は、ポンプ７を介して中間タンク６に導入され、ここで界面活性剤が計量されてポンプ５及びろ過部３を通してＰＥＴ分散機４に計量される。界面活性剤は、供給ライン９を介してＰＥＴ分散機４に直接導入できる。タンク１中に貯蔵された重油燃料も又、ポンプ２を介して供給し、ろ過器３を介してろ過し、ＰＥＴ分散機４に供給することができる。図３の工程図にり、界面活性剤、スラッジ廃棄物及び燃料油の各々を別々に供給することができる。つまり、工程要件により界面活性剤を必要としない場合は、スラッジ廃棄物又は燃料油に悪影響を与えないで、界面活性剤の使用を止めることができる。その後、燃焼に先立って、貯蔵のために、乳化組成物を貯蔵タンク８に供給できる。図３の実施形態は特に、スラッジの水分含量が多少とも燃料を必要とする場合に用いるのに適している。このような状況下に、燃料供給ポンプ２を調整して、必要に応じて重油又は燃料の量を増加あるいは減少させることができる。
【００３４】
本発明の他の実施形態において、水及び有機汚染物質を含む廃棄物を、界面活性剤を添加しないで、重油液体燃料に直接導入することができる。重油は大量の酸化体を含むことができるので、界面活性剤の添加は不必要となる。この実施形態によると、この液体廃棄物は、計測量で、重油液体燃料と共に導入して、微細分散化親油性エマルションを形成する。その後、このエマルションは、スチームボイラーで燃焼するか、又は将来の使用に備えて保管する。一実施形態において、親油性エマルションを液体燃料（その液体燃料は、連続相を形成し得る。）液滴中に均質に分散された水（及び不必要なパラフィン性又は他の石油化学化合物）のミクロ回転楕円体を含むことができる。
【００３５】
図４は、熱電気プラントに適用できる本発明の一実施形態を模式的に示す。図４において、典型的な熱電プラントにおいて生成する有機物質及び水含有スラッジを計量ポンプに送給する。バイパスバルブをポンプ設備の上に示される。図４は、計量ポンプを模式的に示すが、本発明は、これのみに限定されるべきでなく、計量された量のスラッジを提供する他の手段を使用することができるものと解すべきである。このスラッジは、フィルター３に供給する。図４の実施形態において、フィルター３には、加熱及び冷却のためにジャケットを付ける。図４中の破線は、蒸気管を示す。蒸気は、プラント中の様々なユニットに利用するために蒸気発生プラント２を介して供給する。ＰＥＴ原理により操作するナノ分散機９は、フィルター３からろ過されたスラッジを受け入れて、タンク８に供給するエマルションを生成する。図４の実施形態において示すことができるように、スラッジは、容易に燃焼可能であり、それ故、燃料に添加しない。これは、熱電プラントの典型的なスラッジ廃棄物が重油（５０％迄の燃料オイル又は廃棄燃料オイル）であり、まあ、添加燃料を要することなく容易に燃焼可能であるという理由に基づく。加えて、このスラッジは重油であるから、界面活性剤が添加されている（必要があれば界面活性剤を添加できる。）。可燃性燃料として使用できる乳化スラッジを将来の消費に備えてタンク８から輸送し、タンク７に貯蔵できる。この蒸気発生装置は、膨張タンク７、容量型ポンプ４及びフィルター３を含む。蒸気発生プラントは、補助プラントであるから、詳細には検討しない。
【００３６】
本発明の更に他の実施形態において、汚染液体廃棄物（その他の物と共に、水および有機物質源の汚染物質を含んでいる）は、容器に保管して、より重い液体を重力分離させることができる。一つの実施形態において、異なる組成物は、異なる結果を生む一方、上部層は、層の残部の質量と比較して、８０質量％程度の有機物質を含有し得る。上部層の液体廃棄物は、相分離の傾向を有する直接エマルション及び親油エマルションの双方を含む、粗い、不安定な系を示し得る。有機質豊富な相は、まだ相分離の影響を受けやすいので、分離して、一種又はそれ以上の界面活性剤と混合して、安定な連続相を調整することができる。この層は、ＰＥＴ装置により加工することができ、その後、潜在性燃料として将来の使用のために保存し、あるいは焼却炉で直接燃焼できる。最上層に比べてそれほど有機物質が豊富でない底部層は、底部層の質量に対して５０質量％程度の有機物質を含み得る。量を計測して、上部層中に底部層を導入して、分散することができる。本実施形態において、上部層は、連続相を形成し、底部層は分離相を形成できる。加えて、本発明の前記実施形態により、例えば、その層が燃料／界面活性剤混合物と共に乳化された後に、燃焼により、底部層を処理できる。そのような実施形態の一つにおいて、有機物質約５０質量％を含む底部層は、計量して、上記開示の如くいわゆるＰＥＴ原理に従って乳化された重油のごとき液体燃料に導入でき、微細に分散された親油性エマルションの均質組成物に変性できる。この組成物は、その後、熱生成装置において燃焼できる。それに代えて、底部層を、燃料と界面活性剤との混合物に導入して、乳化し又燃焼し、或いは将来の使用に備えて貯蔵することができる。
【００３７】
底部層は、重金属及び他の類似化合物を含み得るから、その重金属を除去、回収するために、その底部層を分離処理に供することが有効であることに留意すべきである。それに代わって、所定の物理的及び／又は化学的不純物を除去するために、そのスラッジを種々の機械的及び化学的ろ過工程に供することができる。
【００３８】
一実施形態において、本発明は、一日当り１００トン迄の量の水、有機物質及びオイルの、可燃性、安定性の高度分散化エマルションを製造可能である。以上のとおり、本発明は、エネルギーコスト節約を促進し、排出口部分にある廃棄物保存施設及び他の産業廃棄物貯蔵部の必要性をなくす。
【００３９】
本発明の実施形態によって得られる節約事例としては、下記のものがある。１質量％又はそれ未満の安定剤で処理された１トンの重油は、３０質量％の有機分と７０質量％の水を含む１トンの石油化学廃棄物と組み合わせることができる。その後、この混合物は、ナノ乳化に供されて、ほぼ２トンのナノ乳化燃料を生成する。７００ｋｇの水を蒸発するのに必要な熱を発生するためには、オイル廃棄物約１００ｋｇを燃焼する必要がある。これは、約２００ｋｇの有用な燃料に当ることになる。それ故、有用な燃料１，２００ｋｇ（＝１、０００ｋｇ＋２００ｋｇ）が利用できることになる。最終結果は、２０％の製造された追加燃料を得ることができ、又存在するオイル廃棄物を無くすことができる（貯蔵、輸送及び環境廃棄物対策に係るコストの節約を含めて）。更に、新規燃料は、かなりの水量を含むから、燃焼生成物は、環境上安全で問題ない。本操作は、下記の特徴を示す。即ち、オイル汚染水の除去、火炎高さのかなりの低減、ボイラーの処理区画中のスラグ形成の減少、過剰空気係数、排ガス温度の減少、ＣＯ含量の初期値の４５％迄の低下、ＮＯｘ含量の２０％程度の低下、１Ｋｃａｌの生成に対する約２．７ｋｇの燃料消費の低下がある。
【００４０】
本発明の実施形態を、下記の非限定的及び典型的実施形態によってさらに説明する。
【００４１】
実施例１
輸送の間に形成された廃棄物スラッジを含む、スラッジ及びスラリーが、船舶及びはしけから得られる。典型的には、その廃棄物は、約１０，２００Ｋｃａｌ／ｋｇの熱容量を有する、約３０％の有機物質を含む。上記方法に従って、重油残渣Ｎｏ．６（Ｍａｚｕｔ  Ｍ１００ＴＭ）をベースとするエマルションは、約１０，０００ｃａｌ／ｋｇの熱容量を有するもとのして調整できる。最終エマルションの中の水含量は１０質量％に維持できる。線量計ポンプ（ｄｏｓｉｍｅｔｅｒ ｐｕｍｐ）を使用して、１対６の割合で、又約６０℃の温度でスラッジ水を重油中に導入して、粗エマルションを形成できる。この粗エマルションは、その後、ディスク型脈動装置（ｄｉｓｃ−ｓｈａｐｅｄ ｐｕｌｓａｔｉｎｇ ａｐｐａｒａｔｕｓ）におり処理できる。上記のようにプリンシパルパルスエネルギー変換（ｐｒｉｎｃｉｐｌｅ ｐｕｌｓｅ ｅｎｅｒｇｙ ｔｒａｎｓｆｏｒｍａｔｉｏｎ）に基づいて作動するこの分散機は、重油中の水と不必要なパラフィン化合物との微細分散液を製造し、ナノ−分散性を有する実質的に乳化された燃料を製造できる。乳化された燃料は、その後、蒸気ボイラーのような熱発生装置中で燃焼できる。比較例によると、水なしエマルションに対して、１０％水含有エマルションを使用して、２％のボイラーエネルギー増加が達成できる。本発明の実施形態による、スラッジ１ｋｇの効率の増加は、以下のとおりに要約できる。第一に、ボイラーの２％効率増加は、約１２００Ｋｃａｌ／ｋｇに相当する。第二に、スラッジ水（ボイラー効率９２％を有する）の付加熱容量は、約２，８１５．２Ｋｃａｌ／ｋｇとなる。以上のとおり、スラッジ水１ｋｇを廃棄するときの全エネルギーは、３，０１５．２Ｋｃａｌ／ｋｇとなる。
【００４２】
実施例２
１０，２００Ｋｃａｌ／ｋｇの熱容量を有する、約３０％の有機物質を含み、複数の層に分離する傾向のある不安定な系を示す実施例１に記載されたスラッジは、分離槽に貯蔵することができる。安定した後、水３％を含む上部層を除去できる。約１％の界面活性剤をこの上部層に添加できる。次いで、重油又はスラッジを、その系中の水含量が５０％になり、粗エマルションが形成されるまで添加できる。この粗エマルションは、微細に分散し、安定したエマルションが形成されるまで、上記のごとき脈動装置により処理できる。このエマルションは、その後、適切な熱発生装置において燃焼できる。
【００４３】
実施例２において、液体廃棄物の表面層は、液体燃料からなり得て、又、更に、追加燃料として作用し得る有機物質により豊富化できる。乳化燃料の製造は、使用される重油全量の６０％程度となり得るので、この技術を使用することは、エネルギーの必要性と生成装置のコストをかなり減少できる。加えて、そのような処理により、有機質成分量を実質的に減少することができ、その液体廃棄物の残余分が生物精製器に入るときに、有機質汚染物が３０ｇ／ｍ３を確実に超さないようにできる。
【００４４】
スラッジ１ｋｇの破壊を伴う、エネルギー関連効果は、下記のように要約できる。実施例２の乳化燃料の熱容量は、約５，１００Ｋｃａｌ／Ｋｇ（＝１０，２００×５０％）である。水を蒸発させ、ガスがボイラーから出る温度（約１８０℃）に蒸気を加熱するために、エネルギーが必要である。乳化燃料１ｋｇ当りに使用される熱を表すためにＧＨ２Ｏを使用し、又、水の質量（当初は０．５ｋｇ）を表すためにＱを使用する。初期温度２０℃における水の熱容量は、約２０Ｋｃａｌ／Ｋｇであり、１７０℃における過熱蒸気の熱容量は、６７７．９Ｋｃａｌ／Ｋｇである。
【００４５】
したがって、ＧＨ２Ｏ＝０．５ｋｇ（６７７．９−２０）Ｋｃａｌ／Ｋｇ＝３２９．９５
【００４６】
ボイラー効率９２％と仮定すると、熱効果は、
【００４７】
（５，１００−３２８．９５）×０．９２＝４，３８９．４Ｋｃａｌ／Ｋｇ
【００４８】
スラッジ１ｋｇ中の約６０％がエネルギーを発生できるが、典型的には、残余分は、熱効果又は生物精製に貢献しないことを考慮すると：
【００４９】
４，３８９．４×０．６＝２，６９３．６Ｋｃａｌ／Ｋｇ
【００５０】
以上により、第１及び第２実施例を比較すると、実施例１において特定の熱効果は、より高いことが明白である。このことは、実施例１において、エマルションにおける水約１０％に相当する、１対６の比でスラッジと重油とを混合したことにより説明できる。このような評価により、この水含量は、重油の噴霧における改善をもたらせるのに十分である。即ち、スラッジと比較的少量の重油とを混合すると、エマルション燃料の全量の燃焼における改善が得られる。
【００５１】
本発明者の実験によると、水を含んでない重油を水と混合して、微細分散化エマルションを形成する場合、最適水含有量は、８〜１２％の範囲であり、より低い方の値は、低粘度油に対する指標であり、又より高い方の値は、高粘度油に対する指標である。しかしながら、これらの結果は、本発明の範囲を限定することを意図するものではなく、又、水含有量は、燃焼を最適化するために可変であることは当業者にとって容易に理解できることである。追加実験により、重油粘度は、水で乳化された場合、より低くなることが判る。
【００５２】
以上のとおり、エネルギーの点を考慮すると、第１実施例における工程条件が有利と考えられる。又、実施例１の実施形態において、界面活性剤は使用する必要がなく、又、精製工程も必要がない。言うまでもないが、実施例２において具体化された方法は、高価な特定の液体燃料を必要としない点で有利である。本明細書に示された実施形態は、水含有有機質廃棄物の全ゆる組み合わせのものを処理するのに効率的であり、又広範囲の液体燃料に使用できる。本発明において具体化された方法は、時間当り４〜５トンの水／エマルション燃料を処理するのに適用できる。
【図面の簡単な説明】
【図１Ａ】
図１Ａは、従来の方法で製造された油中水型の乳化組成物（ｂ）と対比すべきＰＥＴ原理（ＰＥＴ ｐｒｉｎｃｉｐｌｅｓ）により製造された油中水型の乳化組成物（ａ）を例示するものである。
【図１Ｂ】
図１Ｂは、ＰＥＴ原理（ＰＥＴ ｐｒｉｎｃｉｐｌｅｓ）により製造された油中水型の乳化組成物（ａ）と対比すべき従来の方法で製造された油中水型の乳化組成物（ｂ）を例示するものである。
【図２】
図２は、本発明の一実施形態を図式的に示す。
【図３】
図３は、本発明による他の実施形態を図式的に示す。
【図４】
図４は、本発明による熱電プラントに適用できる他の実施形態を図式的に示す。
【国際公開パンフレット】
2004522136.tif 000002
2004522136.tif 000003
2004522136.tif 000004
2004522136.tif 000005
2004522136.tif 000006
2004522136.tif 000007
2004522136.tif 000008
2004522136.tif 000009
2004522136.tif 000010
2004522136.tif 000011
2004522136.tif 000012
2004522136.tif 000013
2004522136.tif 000014
2004522136.tif 000015
2004522136.tif 000016
2004522136.tif 000017
2004522136.tif 000018
2004522136.tif 000019
2004522136.tif 000020
2004522136.tif 000021
2004522136.tif 000022
2004522136.tif 000023
2004522136.tif 000024
2004522136.tif 000025
2004522136.tif 000026
【国際調査報告】
2004522136.tif 000027